(57)【特許請求の範囲】
【請求項１】
複数のヘルスケア測定装置とリモート患者モニタリングサーバとの間のトランスポートに依存しない通信を実行するためのヘルスケアゲートウェイ装置であって、
各ゲートウェイ通信モジュールが、共通のゲートウェイプロトコルを用いて変換されたデータを受信するプラグ・アンド・プレイポートと、前記プラグ・アンド・プレイポートに接続され、ヘルスケア測定装置からデータを受信し、前記受信したデータをデバイスプロトコルから前記共通するゲートウェイプロトコルに変換する変換部であって、有線又は無線ポートの少なくとも１つを有する変換部とを有する、複数のゲートウェイ通信モジュールと、
各リモート通信モジュールが前記複数のゲートウェイ通信モジュールに通信接続され、前記変換されたデータを前記リモート患者モニタリングサーバに送信する通信ポートを有する、複数のリモート通信モジュールと、
を有し、
前記複数のリモート通信モジュールは、前記複数のゲートウェイ通信モジュールに通信接続され、前記共通のゲートウェイプロトコルに従ってデータを前記リモート患者モニタリングサーバに送信し、
前記変換部は、前記データを前記デバイスプロトコルから前記共通のゲートウェイプロトコルに変換するヘルスケアゲートウェイ装置。
【請求項２】
複数のヘルスケア測定装置とリモート患者モニタリングサーバとの間のトランスポートに依存しない通信を実行するためのヘルスケアゲートウェイ装置であって、
各ゲートウェイ通信モジュールが、共通のゲートウェイプロトコルを用いて変換されたデータを受信するプラグ・アンド・プレイポートと、前記プラグ・アンド・プレイポートに接続され、ヘルスケア測定装置からデータを受信し、前記受信したデータをデバイスプロトコルから前記共通するゲートウェイプロトコルに変換する変換部であって、有線又は無線ポートの少なくとも１つを有する変換部とを有する、複数のゲートウェイ通信モジュールと、
各リモート通信モジュールが前記複数のゲートウェイ通信モジュールに通信接続され、前記変換されたデータを前記リモート患者モニタリングサーバに送信する通信ポートを有する、複数のリモート通信モジュールと、
を有し、
前記複数のリモート通信モジュールは、前記複数のゲートウェイ通信モジュールに通信接続され、前記共通のゲートウェイプロトコルに従ってデータを前記リモート患者モニタリングサーバから受信し、
前記変換部は、前記データを前記共通のゲートウェイプロトコルから前記デバイスプロトコルに変換するヘルスケアゲートウェイ装置。
【請求項３】
前記ヘルスケア測定装置は、体重計、ＢＰメータ、グルコメータ、温度計、心拍センサ、ＥＣＧセンサ、ＥＥＧセンサ、オキシメータ、ＰＴ−ＩＮＲセンサ、ピークフローセンサ、スピロメータ、呼吸センサ、パッシブ赤外線（ＰＩＲ）モーションセンサ、煙検出装置及び緊急ボタンからなる群から選ばれた装置からなる、請求項１記載のヘルスケアゲートウェイ装置。
【請求項４】
前記共通のゲートウェイプロトコルは、ＵＳＢプロトコルであり、
前記プラグ・アンド・プレイポートは、ＵＳＢポートを含む、請求項３記載のヘルスケアゲートウェイ装置。
【請求項５】
前記変換部は、ＵＳＢプロトコル、ＲＳ２３２プロトコル、ＩＲプロトコル、イーサネット（登録商標）プロトコル、ＦｉｒｅＷｉｒｅプロトコル、ブルートゥースプロトコル、Ｚｉｇｂｅｅ（登録商標）プロトコル、ＵＬＰブルートゥースプロトコル及びＺ−Ｗａｖｅプロトコルからなる群から選ばれる複数のデバイスプロトコルを使用するよう構成される、請求項３記載のヘルスケアゲートウェイ装置。
【請求項６】
共通のゲートウェイプロトコルを利用するヘルスケアゲートウェイ装置を用いて、複数のヘルスケア測定装置とリモート患者モニタリングサーバとの間の通信を実行するシステムであって、
リモート患者モニタリングサーバと、
各ヘルスケア測定装置がデバイスプロトコルに従ってデータを送受信するデバイス通信モジュールを有する、複数のヘルスケア測定装置と、
ヘルスケアゲートウェイ装置と、
を有し、
前記ヘルスケアゲートウェイ装置は、
複数のリモートプロトコルを介し前記リモート患者モニタリングサーバに通信接続される複数のリモート通信モジュールと、
各ゲートウェイ通信モジュールがプラグ・アンド・プレイポートを有する、共通のゲートウェイプロトコルを利用する複数のゲートウェイ通信モジュールであって、前記複数のリモートプロトコルが前記共通のゲートウェイプロトコルに準拠する、複数のゲートウェイ通信モジュールと、
前記複数のデバイス通信モジュールと前記複数のゲートウェイ通信モジュールとに動作接続され、前記複数のデバイスプロトコルに従って前記複数の有線及び無線ヘルスケア測定装置から受信したデータを、前記共通のゲートウェイプロトコルに従って前記ヘルスケアゲートウェイ装置に適した変換されたデータに変換する変換部と、
を有し、
前記複数のリモート通信モジュールは、前記複数のゲートウェイ通信モジュールに通信接続され、前記共通のゲートウェイプロトコルに従って前記リモート患者モニタリングサーバとの間でデータを送信又は受信し、
前記変換部は、前記データを前記共通のゲートウェイプロトコルと前記デバイスプロトコルとの間で変換するシステム。
【請求項７】
前記変換部はさらに、前記共通のゲートウェイプロトコルに従って前記ヘルスケアゲートウェイ装置から受信した情報を、前記複数のデバイスプロトコルに従って前記複数の有線及び無線ヘルスケア測定装置に適した変換された情報に変換するよう動作する、請求項６記載のシステム。
【請求項８】
前記共通のゲートウェイプロトコルは、ＵＳＢプロトコルであり、
前記プラグ・アンド・プレイポートは、ＵＳＢポートを含む、請求項６記載のシステム。
【請求項９】
前記複数のデバイス通信モジュールは、周辺の検出及び接続モジュールを有する、請求項６記載のシステム。
【請求項１０】
前記ヘルスケアゲートウェイ装置は、パーソナルコンピュータ、セットトップボックス、携帯電話及び携帯情報端末からなる群から選ばれた装置からなる、請求項６記載のシステム。
【請求項１１】
前記有線及び無線ヘルスケア測定装置にある複数のデバイス通信モジュールは、ＵＳＢ接続、ＲＳ２３２接続、赤外線（ＩＲ）接続、イーサネット（登録商標）接続、ＦｉｒｅＷｉｒｅ接続、ブルートゥースインタフェース、Ｗｉｒｅｌｅｓｓ  ＵＳＢ、Ｚｉｇｂｅｅ（登録商標）インタフェース、ＵＬＰ（Ｕｌｔｒａ  Ｌｏｗ  Ｐｏｗｅｒ）ブルートゥースインタフェース及びＺ−Ｗａｖｅインタフェースからなる群から選ばれたモジュールからなる、請求項６記載のシステム。
【請求項１２】
複数のヘルスケア測定装置とリモート患者モニタリングサーバとの間の通信を実行するための方法であって、
ヘルスケアゲートウェイ装置が、前記複数のヘルスケア測定装置と前記リモート患者モニタリングサーバとの間に通信接続され、
複数のデバイスプロトコルを有する前記複数のヘルスケア測定装置の各ヘルスケア測定装置のプロトコルに従って複数の変換部の１つの有線又は無線ポートにおいて前記複数のヘルスケア測定装置からデータを受信するステップと、
前記ヘルスケアゲートウェイ装置のプラグ・アンド・プレイポートに接続される前記変換部が、各ヘルスケア測定装置の受信したデータを前記デバイスプロトコルから共通のゲートウェイプロトコルに変換するステップと、
複数のリモート通信モジュールに備えられる複数のリモートプロトコルの少なくとも１つを利用して、前記受信した変換されたデータを前記ヘルスケアゲートウェイ装置から前記リモート患者モニタリングサーバに送信するステップと、
を有する方法。
【請求項１３】
前記共通のゲートウェイプロトコルに従って前記ヘルスケアゲートウェイ装置から前記複数のヘルスケア測定装置に送信された情報を前記複数のデバイスプロトコルに従って変換するステップをさらに有する、請求項１２記載の方法。
【請求項１４】
複数のリモートプロトコルの少なくとも１つを利用して、前記リモート患者モニタリングサーバから情報を受信するステップと、
前記リモートプロトコルの１つに従って前記リモート患者モニタリングサーバから前記ヘルスケアゲートウェイ装置に受信された情報を前記共通のゲートウェイプロトコルに従って変換するステップと、
をさらに有する、請求項１３記載の方法。
【請求項１５】
前記ヘルスケア測定装置のタイプを検出し、前記共通のゲートウェイプロトコルに従って前記ヘルスケア測定装置に接続するステップをさらに有する、請求項１２記載の方法。
【請求項１６】
前記変換するステップは、前記ヘルスケア測定装置のタイプに基づき所定の変換ルーチンセットから変換ルーチンを選択するステップを含む、請求項１５記載の方法。
【請求項１７】
前記選択するステップは、無線ヘルスケア測定装置と有線ヘルスケア測定装置とに基づき、所定の変換ルーチンセットから変換ルーチンを選択するステップを含む、請求項１６記載の方法。
【請求項１８】
前記選択するステップは、ブルートゥース、Ｚｉｇｂｅｅ（登録商標）及びＷｉｒｅｌｅｓｓ  ＵＳＢを含む無線変換ルーチンを選択するステップを含む、請求項１７記載の方法。
【請求項１９】
複数のヘルスケア測定装置とリモート患者モニタリングサーバとの間の通信を実行するための方法を実行させる命令を有する非一時的な記憶媒体であって、
ヘルスケアゲートウェイ装置が、前記複数のヘルスケア測定装置と前記リモート患者モニタリングサーバとの間に通信接続され、
前記命令が、
前記ヘルスケアゲートウェイ装置の複数の変換部を介し変換されたデータを通信するため、共通のゲートウェイプロトコルを利用して前記ヘルスケアゲートウェイ装置が前記複数の変換部のいずれかと通信するよう制御するステップであって、前記複数の変換部がそれぞれ、前記複数のヘルスケア測定装置が備える複数のデバイス通信モジュールにそれぞれ関連付けられるデバイスプロトコルに適応した変換処理を行い、各デバイス通信モジュールは、該デバイス通信モジュールに関連付けられるデバイスプロトコルに従って通信する、制御するステップと、
前記複数のヘルスケア測定装置から受信したデータを前記リモート患者モニタリングサーバに送信するため、複数のリモート通信モジュールに備えられた複数のリモートプロトコルを利用して前記リモート患者モニタリングサーバと通信するよう制御するステップと、
を前記ヘルスケアゲートウェイ装置のプロセッサに実行させる命令を記憶した記憶媒体。
【請求項２０】
複数のデバイスプロトコルに従って前記複数のヘルスケア測定装置から受信したデータを、前記共通のゲートウェイプロトコルに従って前記ヘルスケアゲートウェイ装置に適した変換されたデータに変換するステップをさらに有する、請求項１９記載の記憶媒体。
【請求項２１】
前記共通のゲートウェイプロトコルに従って前記ヘルスケアゲートウェイ装置から受信した情報を、前記デバイスプロトコルに１つに従って前記複数のヘルスケア測定装置の１つに適した変換された情報に変換するステップをさらに有する、請求項２０記載の記憶媒体。
【請求項２２】
前記複数の変換部のいずれかと通信するよう制御するステップは、前記ヘルスケア測定装置のタイプを検出し、前記共通のゲートウェイプロトコルに従って前記ヘルスケア測定装置に接続するステップを含む、請求項２１記載の記憶媒体。
【請求項２３】
前記複数の変換部のいずれかと通信するよう制御するステップは、前記ヘルスケア測定装置のタイプに基づき所定の変換ルーチンセットから変換ルーチンを選択するステップを含む、請求項２２記載の記憶媒体。
【請求項２４】
前記選択するステップは、無線ヘルスケア測定装置と有線ヘルスケア測定装置とに基づき所定の変換ルーチンセットから変換ルーチンを選択するステップを含む、請求項２３記載の記憶媒体。
【請求項２５】
前記複数のリモートプロトコルは、ＦＸＯ及びイーサネット（登録商標）を含む、請求項１９記載の記憶媒体。
【請求項２６】
複数のヘルスケア測定装置とリモート患者モニタリングサーバとの間のトランスポートに依存しない通信を実行するためのヘルスケアゲートウェイ装置であって、
各ゲートウェイ通信モジュールが共通のゲートウェイプロトコルを用いたプラグ・アンド・プレイポートを有する、複数のゲートウェイ通信モジュールと、
各変換部が１つのゲートウェイ通信モジュールのプラグ・アンド・プレイポートと前記ヘルスケア測定装置の１つに接続され、前記ヘルスケア測定装置のプロトコルに従って送信し、前記接続されたヘルスケア測定装置のプロトコルと前記共通のゲートウェイプロトコルとの間で変換する、複数の変換部と、
前記複数のゲートウェイ通信モジュールと前記リモート患者モニタリングサーバとに通信接続される複数のリモート通信モジュールであって、各リモート通信モジュールがリモートプロトコルに従って通信し、前記共通のゲートウェイプロトコルと前記リモートプロトコルとの間で変換する、複数のリモート通信モジュールと、
を有するヘルスケアゲートウェイ装置。
【請求項２７】
前記リモート通信モジュールの１つは、前記リモートプロトコルの１つに従って前記リモート患者モニタリングサーバから通信される情報を受信し、前記情報を前記共通のゲートウェイプロトコルに変換し、前記共通のゲートウェイプロトコルに従って前記ゲートウェイ通信モジュールの１つに前記情報を送信し、
前記ゲートウェイ通信モジュールの１つは、前記共通のゲートウェイプロトコルに従って前記変換部の１つに前記情報を送信し、
前記変換部の１つは、前記情報を前記共通のゲートウェイプロトコルから前記デバイスプロトコルに変換し、前記情報を前記ヘルスケア測定装置に送信する、請求項２６記載のヘルスケアゲートウェイ装置。
【請求項２８】
前記変換部の１つは、前記ヘルスケア測定装置の１つから通信されたデータを受信し、前記データを前記共通のゲートウェイプロトコルに変換し、前記共通のゲートウェイプロトコルに従って前記プラグ・アンド・プレイポートにより接続される前記ゲートウェイ通信モジュールの１つに前記変換されたデータを送信し、
前記ゲートウェイ通信モジュールの１つは、前記共通のゲートウェイプロトコルに従って前記リモート通信モジュールの１つに前記データを送信し、
前記リモート通信モジュールの１つは、前記データを前記リモートプロトコルの１つに変換し、前記リモートプロトコルの１つに従って前記データを前記リモート患者モニタリングサーバに送信する、請求項２６記載のヘルスケアゲートウェイ装置。
【発明の詳細な説明】
【技術分野】
【０００１】
本発明は、一般にテレヘルスシステム及びテレケアシステムとしても知られるリモート及びホームヘルスケアシステムに関し、特にヘルスケア測定装置のゲートウェイへのペアリング（ｐａｉｒｉｎｇ）のためのシステム及び方法に関する。
【背景技術】
【０００２】
典型的には、体重計、血圧（ＢＰ）メータなどのホームヘルスケア測定装置と、セットトップボックス、携帯電話、携帯情報端末（ＰＤＡ）、パーソナルコンピュータ（ＰＣ）などのホームヘルスケアゲートウェイ装置との間の接続は、広範な技術を用いた有線又は無線によるものである。マルチベンダの観点から、有線接続はＵＳＢ（Ｕｎｉｖｅｒｓａｌ  Ｓｅｒｉａｌ  Ｂｕｓ）ケーブル、ＲＳ２３２、イーサネット（登録商標）、ＦｉｒｅＷｉｒｅなどの技術を含むことが可能であり、無線接続はブルートゥース（登録商標）、Ｚｉｇｂｅｅ、Ｗｉｒｅｌｅｓｓ  ＵＳＢなどの技術を含むことが可能であり、これらすべてのタイプの接続に対するサポートを提供するか、可能な限り多数のデバイスタイプをサポートすることが望ましい。ヘルスケアゲートウェイ装置上のアプリケーションが上記有線及び無線接続と付属のヘルスケア測定装置とを利用するため、上述した各種タイプの接続を認識し、すなわち、接続プロトコルレイヤを実行し、ヘルスケアゲートウェイ装置とヘルスケア測定装置との間の接続をサポート可能なヘルスケアゲートウェイ装置上のソフトウェアが必要である。例えば、ヘルスケアゲートウェイ装置がブルートゥース対応の周辺装置を利用するため、“ブルートゥースアウェア”である、すなわち、ヘルスケアゲートウェイ装置とヘルスケア測定装置との間のブルートゥースベースの接続をサポートするためブルートゥースプロトコルレイヤを実行するヘルスケアゲートウェイ装置上のソフトウェアが必要である。これを実行する従来手段は、ヘルスケアゲートウェイ装置の“デバイスドライバ”と呼ばれるソフトウェアコンポーネントを提供することである。関連するタイプの有線又は無線接続を備える各ヘルスケア測定装置は、機能を提供するためヘルスケアゲートウェイ装置にインストールされた独立したデバイスドライバを必要とする可能性がある。
【０００３】
しかしながら、デバイスドライバによる問題が周知である。デバイスドライバは、オペレーティングシステムに固有なものであり、しばしばオペレーティングシステムの特定のバージョンに固有なものである。さらに、デバイスドライバはインストールすることが困難であり、互いに望ましくない相互作用をする可能性がある。また、ヘルスケアゲートウェイ装置のリソース制限は、複数のデバイスドライバを包含することを妨げる可能性がある。
【０００４】
他方、ＵＳＢの最近の出現は、オペレーティングシステムのメーカがＵＳＢポートを介しＰＣに付属される通常の周辺装置に対して同様のドライバを提供することを促してきた。例えば、Ｗｉｎｄｏｗｓ（登録商標）ベースのＰＣでは、これらのドライバは“プラグ・アンド・プレイ”であり、Ｗｉｎｄｏｗｓ（登録商標）はＵＳＢポートへのデバイスの付属を検出し、適切なドライバを自動的にインストールする。しかしながら、Ｗｉｎｄｏｗｓ（登録商標）環境のプラグ・アンド・プレイ機能は、従来は有線及び無線リンクを介しリモート及びホームヘルスケアシステム及びホームヘルスケア測定装置に拡張されてこなかった。また、ＵＳＢなどの単一の有線接続及び／又はブルートゥース（登録商標）などの単一の無線技術に制限する方向にＣｏｎｔｉｎｕａ  Ｈｅａｌｔｈ  Ａｌｌｉａｎｃｅのトレンドがあった。
【発明の概要】
【０００５】
有線及び無線ヘルスケア測定装置に接続するための単一タイプのプラグ・アンド・プレイポートを有するトランスポートに依存しないゲートウェイのためのシステム及び方法が開示される。主題の一態様によると、複数のヘルスケア測定装置とリモート患者モニタリングサーバとの間の通信を実行する方法は、共通のゲートウェイプロトコルを用いて有線及び無線ヘルスケア測定装置にある複数のデバイス通信モジュールに係る複数の変換部を介し変換されたデータを受信するヘルスケアゲートウェイ装置と通信するステップと、複数のリモート通信モジュールにある複数のリモートプロトコルを用いて受信した変換されたデータを送信するリモート患者モニタリングサーバと通信するステップとを有する。一部の実施例では、ヘルスケアゲートウェイ装置は、ヘルスケア測定装置とリモート患者モニタリングサーバとの間に通信接続される。さらに、複数のヘルスケア測定装置と通信するステップは、ヘルスケア測定装置のタイプを検出し、共通のゲートウェイプロトコルに従ってヘルスケア測定装置に接続することを含む。
【０００６】
本方法はさらに、複数のデバイスプロトコルに従ってヘルスケア測定装置から受信したデータを、共通のゲートウェイプロトコルに従ってヘルスケアゲートウェイ装置に適したデータに変換するステップを含む。本方法はまた、共通のゲートウェイプロトコルに従ってヘルスケアゲートウェイ装置から受信した情報を、デバイスプロトコルの１つに従ってヘルスケア測定装置の１つに適した情報に変換するステップを含む。一部の実施例では、変換するステップは、ヘルスケア測定装置のタイプに基づき所定の変換ルーチンのセットから変換ルーチンを選択することを含む。
【０００７】
ここに開示される方法、システム及び装置は、各種態様を実現する何れかの手段により実現可能であり、マシーンにより実行されると、ここに開示された処理の何れかをマシーンに実行させる命令セットを有するマシーン可読媒体の形式により実行可能である。他の特徴は、以下の詳細な説明及び添付した図面から明らかであろう。
【図面の簡単な説明】
【０００８】
実施例は例示的なものであり、同様の参照が同様の要素を示す添付した図面に限定されるものでない。
【図１】図１は、本発明の実施例による有線及び無線ヘルスケア測定装置を接続するためのトランスポートに依存しないゲートウェイのブロック図を示す。
【図２】図２は、本発明の実施例による図１に示されるトランスポートに依存しないゲートウェイを動作させるための第１の一例となる方法を示すフローチャートである。
【図３】図３は、本発明によるここに開示される実施例の何れかが実行可能なデータ処理システムの概略図である。  本実施例の他の特徴は、以下の詳細な説明と添付した図面から明らかになるであろう。
【発明を実施するための形態】
【０００９】
有線及び無線ヘルスケア測定装置を接続するための単一タイプのプラグ・アンド・プレイポートを含むトランスポートに依存しないゲートウェイのためのシステム及び方法が開示される。以下の説明では、各種実施例の完全な理解を提供するため、多数の具体的な詳細が与えられる。しかしながら、これら各種実施例がこれらの具体的な詳細なしに実現可能であることは当業者に明らかであろう。
【００１０】
“ホームヘルスケアゲートウェイ装置”と“ヘルスケアゲートウェイ装置”という用語は、本明細書において互換的に用いられる。
【００１１】
図１は、本発明の実施例による有線及び無線ヘルスケア測定装置１４０をヘルスケアゲートウェイ装置１１０に接続するためのトランスポートに依存しないゲートウェイのブロック図１００を示す。特に、図１は、ヘルスケアゲートウェイ装置１１０、複数のＵＳＢ接続などの複数のゲートウェイ通信モジュール１２０Ａ〜Ｎ（以降においてゲートウェイ通信モジュール１２０と呼ばれる）、複数のデバイス通信モジュール１２５Ａ〜Ｎ（以降においてデバイス通信モジュール１２５と呼ばれる）、複数の変換部１３０Ａ〜Ｎ（以降において変換部１３０と呼ばれる）、複数の有線及び無線ヘルスケア測定装置＃１〜Ｎ  １４０（以降においてヘルスケア測定装置１４０と呼ばれる）、複数のリモート通信モジュール１５０Ａ〜Ｎ（以降においてリモート通信モジュール１５０と呼ばれる）及びリモート患者モニタリングサーバ１６０を示す。
【００１２】
ヘルスケアゲートウェイ装置１１０は、ヘルスケア測定装置１４０とリモート患者モニタリングサーバ１６０との間のトランスポートに依存しない通信を実現する。例えば、ヘルスケアゲートウェイ装置１１０は、パーソナルコンピュータ、セットトップボックス、携帯電話、携帯情報端末などであってもよい。
【００１３】
図１に示されるように、ヘルスケアゲートウェイ装置１１０は、リモート通信モジュール１５０に常駐する複数のリモートプロトコル（図１に示されるようなイーサネット（登録商標）やＦＸＯなど）を介しリモート患者モニタリングサーバ１６０に通信接続される。図１に示されるように、リモート通信モジュール１５０は、ネットワーク（インターネットやＰＳＴＮなど）を介しリモート患者モニタリングサーバ１６０に通信接続される。これらの実施例では、ヘルスケアゲートウェイ装置１１０は、共通のゲートウェイプロトコルを利用するゲートウェイ通信モジュール１２０を有し、リモートプロトコルは、共通のゲートウェイプロトコルに準拠する。一部の実施例では、共通のゲートウェイプロトコルはＵＳＢプロトコルであり、変換部１３０はヘルスケアゲートウェイ装置１１０のＵＳＢポートに接続される。
【００１４】
さらに、ヘルスケアゲートウェイ装置１１０は、有線及び無線ヘルスケア測定装置１４０に常駐するデバイス通信モジュール１２４に関連する変換部１３０を介し変換されたデータを受信するために共通のゲートウェイプロトコルを利用して、ヘルスケアゲートウェイ装置１１０と通信するためのゲートウェイ通信モジュール１２０を有する。
【００１５】
ヘルスケアゲートウェイ装置１１０はまた、変換されたデータをリモート患者モニタリングサーバ１６０に送信するため、ゲートウェイ通信モジュール１２０に通信接続されるリモート通信モジュール１５０を含む。さらに、リモート通信モジュール１５０は、変換されたデータをリモート患者モニタリングサーバ１６０から受信するため、ゲートウェイ通信モジュール１２０に通信接続される。
【００１６】
図１にさらに示されるように、ヘルスケア測定装置１４０は、デバイス通信モジュール１２５を有する。デバイス通信モジュール１２５は、周辺検出接続モジュールを有してもよい。これらの実施例では、複数のデバイス通信モジュール１２５が、複数のデバイスプロトコルに従ってヘルスケア測定装置１４０との間でデータ及び情報を送受信する。
【００１７】
一部の実施例では、ヘルスケア測定装置からのデータは、ＵＳＢプロトコル、ＲＳ２３２プロトコル、ＩＲプロトコル、イーサネット（登録商標）プロトコル、ＦｉｒｅＷｉｒｅプロトコル、ブルートゥース（登録商標）プロトコル、Ｚｉｇｂｅｅプロトコル、ＵＬＰブルートゥース（登録商標）プロトコル、Ｚ−Ｗａｖｅプロトコルなどのデバイスプロトコルを用いて変換部１３０に送信される。
【００１８】
一実施例では、ヘルスケア測定装置１４０は、体重計、ＢＰカフ、グルコメータ、温度計、心拍センサ、ＥＣＧセンサ、ＥＥＧセンサ、オキシメータ、ＰＴ−ＩＮＲセンサ、ピークフローセンサ、肺活量計、呼吸センサ、パッシブ赤外線（ＰＩＲ）モーションセンサ、煙検出装置、緊急ボタンなどのデバイスを含む。
【００１９】
他の実施例では、有線及び無線ヘルスケア測定装置１４０にあるデバイス通信モジュール１２５は、ＵＳＢ接続、ＲＳ２３２接続、赤外線（ＩＲ）接続、イーサネット（登録商標）接続、ＦｉｒｅＷｉｒｅ接続、ブルートゥース（登録商標）インタフェース、Ｗｉｒｅｌｅｓｓ  ＵＳＢ、Ｚｉｇｂｅｅインタフェース、ＵＬＰ（Ｕｌｔｒａ  Ｌｏｗ  Ｐｏｗｅｒ）ブルートゥースインタフェース、Ｚ−Ｗａｖｅインタフェースなどのモジュールを含む。
【００２０】
図１にさらに示されるように、デバイス通信モジュール１２５及びゲートウェイ通信モジュール１２０に動作接続される変換部１３０は、複数のデバイスプロトコルに従って有線及び無線ヘルスケア測定装置１４０から受信したデータを、共通のゲートウェイプロトコルに従ってヘルスケアゲートウェイ装置１１０に適応した変換されたデータに変換する。さらに、変換部１３０は、共通のゲートウェイプロトコルに従ってヘルスケアゲートウェイ装置１１０から受信された情報を、複数のデバイスプロトコルに従って複数の有線及び無線ヘルスケア測定装置について適応した変換された情報に変換するよう動作する。
【００２１】
図１に示される実施例では、ヘルスケアゲートウェイ装置１１０は、１つのタイプのみの有線プラグ・アンド・プレイポート、すなわち、ＵＳＢポートを有する。さらに、ヘルスケアゲートウェイ装置１１０は、要求に基づき複数のヘルスケア測定装置１４０を収容するのに十分な個数のＵＳＢポートを有する。さらにＵＳＢの実現のケースでは、ＵＳＢハブはＵＳＢポートの個数を増加させるのに利用される。図１は、ヘルスケア測定装置１４０（ホームヘルスケア測定装置など）のための共通のトランスポート及びデータ制御モデルを示す。また、汎用的なコンティニュア（Ｃｏｎｔｉｎｕａ）ドライバ（すなわち、図１に示されるように、ＵＳＢケーブル、ＵＳＢツーＲＳ２３２ドングル、ＵＳＢツーＢＴドングル、ＵＳＢツーＺｉｇｂｅｅドングル、ＵＳＢツーイーサネット（登録商標）、ＵＳＢツーＦｉｒｅＷｉｒｅなどの変換部１３０）が開発され、すべてのドングルとヘルスケア測定装置１４０を収容するためヘルスケアゲートウェイ装置１１０と共に出荷可能である。
【００２２】
図１に示される実施例では、適切な有線接続技術（ＵＳＢなど）を備えたヘルスケア測定装置１４０のデバイス＃１などの有線コンティニュアデバイスが、ヘルスケアゲートウェイ装置１１０に容易にプラグインすることができる。従って、ヘルスケア測定装置１４０（デバイス＃１など）と適切なゲートウェイ通信モジュール（物理的なプラグ接続などによって）との関連付けが容易かつ間違いないものとなる。
【００２３】
図１に示される他の実施例では、他の有線接続技術（ＲＳ２３２シリアルなど）を備えたヘルスケア測定装置１４０のデバイス＃２などの有線コンティニュアデバイスについて、コンバータが変換部１３０（ＵＳＢツーＲＳ２３２ドングルなど）に提供される。この結果、ヘルスケア測定装置１４０（デバイス＃２など）は、ヘルスケアゲートウェイ装置１１０の標準的なＵＳＢポートの１つに物理的にプラグインすることによって、適切なヘルスケアゲートウェイ装置１１０と間違うことなく関連付け可能である。
【００２４】
図１に示されるさらなる他の実施例では、ヘルスケア測定装置１４０のデバイス＃３やデバイス＃４などの無線デバイスが、予めペアリングされた無線ドングル（すなわち、無線ヘルスケア測定装置１４０が関連付け及び接続されるドングルが、向上の初期設定により無線ヘルスケア測定装置１４０により認識可能である）を備えて出荷される。このケースでは、ユーザはドングル（変換部１３０など）をヘルスケアゲートウェイ装置１１０にプラグインする必要があり、その後にヘルスケア測定装置１４０は、さらなるユーザによる介入なしにヘルスケアゲートウェイ装置１１０を関連付け、通信する。同様に、ヘルスケア測定装置１４０の有線デバイス＃５及び＃６は、図１に示されるように、デバイス通信モジュール１２５のイーサネット（登録商標）及びファイアウォールを介して変換部１３０のＵＳＢツーイーサネット（登録商標）及びＵＳＢツーファイアウォールを通じてヘルスケアゲートウェイ装置１１０に動作接続される。
【００２５】
図２は、本発明の実施例による図１に示されるトランスポートに依存しないゲートウェイを動作させるための第１の一例となる方法を示すフローチャート２００である。特に、図２は、複数のヘルスケア測定装置１４０とリモート患者モニタリングサーバ１６０との間の通信を実現するための方法を示す。一部の実施例では、ヘルスケアゲートウェイ装置１１０は、複数のヘルスケア測定装置１４０とリモート患者モニタリングサーバ１６０との間で通信接続される。
【００２６】
処理２１０において、あるタイプのヘルスケア測定装置１４０が検出され、ヘルスケア測定装置１４０が共通のゲートウェイプロトコルに従って接続される。処理２２０において、ヘルスケア測定装置１４０のタイプに基づき、変換ルーチンが所定の変換ルーチンセットから選択される。処理２３０において、ヘルスケア測定装置１４０から受信されたデータは、複数のデバイスプロトコルに従って変換される。これらの実施例では、ヘルスケア測定装置１４０から受信したデータは、複数のデバイスプロトコルに従って変換され、共通のゲートウェイプロトコルに従ってヘルスケアゲートウェイ装置１１０に適したデータに変換される。
【００２７】
さらに、ヘルスケアゲートウェイ装置１１０から受信した情報は、共通のゲートウェイプロトコルに従って変換され、デバイスプロトコルの１つに従って複数のヘルスケア測定装置１４０の１つに適した情報に変換される。処理２４０において、ヘルスケア測定装置１４０は、共通のゲートウェイプロトコルを用いて有線及び無線ヘルスケア測定装置１４０に常駐する複数のデバイス通信モジュール１２５に係る複数の変換部１３０を介し変換されたデータを受信することによって、ヘルスケアゲートウェイ装置１１０と通信する。処理２５０において、ヘルスケアゲートウェイ装置１１０は、複数のリモート通信モジュール１５０に常駐する複数のリモートプロトコルを用いて受信した変換されたデータを送信することによって、リモート患者モニタリングサーバ１６０と通信する。
【００２８】
図３は、ここに開示される実施例の何れかが実行可能な一実施例によるデータ処理システムの概略図３００を示す。特に、図３の概略システム図は、プロセッサ３０２、メインメモリ３０４、静的メモリ３０６、バス３０８、ビデオディスプレイ３１０、英数字入力装置３１２、カーソル制御装置３１４、ドライブユニット３１６、信号生成装置３１８、ネットワークインタフェース装置３２０、マシーン可読媒体３２２、命令３２４及びネットワーク３２６を示す。
【００２９】
概略システム図３００は、ここに開示される１以上の処理が実行されるパーソナルコンピュータ及び／又はデータ処理システムを示す。プロセッサ３０２は、マイクロプロセッサ、状態マシーン、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などであってもよい。メインメモリ３０４は、コンピュータシステムのＤＲＡＭ（Ｄｙｎａｍｉｃ  Ｒａｎｄｏｍ  Ａｃｃｅｓｓ  Ｍｅｍｏｒｙ）及び／又はプライマリメモリであってもよい。静的メモリ３０６は、ハードドライブ、フラッシュドライブ及び／又はデータ処理システムに係る他のメモリ情報であってもよい。
【００３０】
バス３０８は、データ処理システムの各種回路及び／又は構成の間の相互接続であってもよい。ビデオディスプレイ３１０は、データ処理システムに関する情報のグラフィカル表示を提供する。英数字入力装置３１２は、キーパッド、キーボード及び／又は他の何れかのテキスト入力装置（身体障害者を支援するための特殊な装置など）であってもよい。カーソル制御装置３１４は、マウスなどのポインティング装置であってもよい。ドライブユニット３１６は、ハードドライブ、ストレージシステム及び／又は他の長期ストレージサブシステムであってもよい。
【００３１】
信号生成装置３１８は、データ処理システムのＢＩＯＳ及び／又は機能的なオペレーティングシステムであってもよい。ネットワークインタフェース装置３２０は、いくつかの独立した装置（例えば、異なるプロトコルのものなど）の間のネットワーク３２６との通信に必要とされるインタフェース機能（コード変換、プロトコル変換及び／又はバッファリングなど）を実行する。マシーン可読媒体３２２は、ここに開示される方法の何れかが実行可能な命令を提供する。命令３２４は、ここに開示される何れか１以上の処理を可能にするため、ソースコード及び／又はデータコードをプロセッサ３０２に提供する。
【００３２】
計算プラットフォームにより実行されると、ヘルスケア測定装置１４０とリモート患者モニタリングサーバ１６０との間の通信を実現する方法を実行する命令を有する記憶媒体は、ヘルスケアゲートウェイ装置１１０がヘルスケア測定装置１４０とリモート患者モニタリングサーバ１６０との間で通信接続され、共通のゲートウェイプロトコルを用いて有線及び無線ヘルスケア測定装置１４０に常駐するデバイス通信モジュール１２５に係る変換部１３０を介し変換されたデータを受信してヘルスケアゲートウェイ装置１１０と通信し、リモート通信モジュール１５０に常駐するリモートプロトコルを用いて受信した変換されたデータを送信してリモート患者モニタリングサーバ１６０と通信することを含む。
【００３３】
一部の実施例では、ヘルスケア測定装置１４０との通信は、ヘルスケア測定装置１４０のタイプを検出し、共通のゲートウェイプロトコルに従ってヘルスケア測定装置１４０に接続することを含む。記憶媒体は、デバイスプロトコルに従ってヘルスケア測定装置１４０から受信したデータを変換し、共通のゲートウェイプロトコルに従ってヘルスケアゲートウェイ装置１１０に適したデータに変換するための命令を有する。
【００３４】
さらに、記憶媒体は、共通のゲートウェイプロトコルに従ってヘルスケアゲートウェイ装置１１０から受信した情報を変換し、デバイスプロトコルの１つに従ってヘルスケア測定装置１４０の１つに適した情報に変換するための命令を有する。一部の実施例では、この変換は、ヘルスケア測定装置１４０のタイプに基づき所定の変換ルーチンセットから変換ルーチンを選択することを含む。
【００３５】
上述したヘルスケアゲートウェイ装置１１０は、ヘルスケア測定装置１４０とゲートウェイ通信モジュール１２０のトランスポートに依存しないゲートウェイとの間のブルートゥース（登録商標）やＺｉｇｂｅｅなどの複数の無線技術をサポートする。上述したヘルスケアゲートウェイ装置１１０は、単一タイプの有線接続（ＵＳＢなど）しか備えていないゲートウェイを備え、標準的な有線ゲートウェイポートの１つにドングルを単にプラグインすることにより、ヘルスケア測定装置１４０とヘルスケアゲートウェイ装置１１０とのシンプルかつセキュアな関連付けと以降の接続とを可能にする専用の予めペアリングされた無線ドングルを各無線装置に提供する。
【００３６】
また、本方法は、マシーンにより実行されると、マシーンにここに開示された何れかの方法を実行させる命令セットを実現するマシーン可読媒体の形式をとってもよい。ここに開示される各種実施例は同一の実施例であるとは限らず、ここに明示的には開示されない他の各種実施例にグループ化されることが理解されるであろう。さらに、ここに開示される各種演算、処理及び方法はデータ処理システム（コンピュータシステムなど）に互換するマシーン可読媒体及び／又はマシーンアクセス可能な媒体において実現されてもよく、何れかの順序により実行されてもよい（例えば、各種処理を実現するための手段を利用することを含む）ことが理解されるであろう。従って、明細書及び図面は限定的でなく例示的なものとしてみなされるべきである。
【００３７】
本発明の特定の実施例の上述した説明は、図示及び説明のために与えられたものである。それらは、網羅的なものであり、又は本発明を開示された正確な形式に限定するものでなく、上記教示に基づき多数の改良及び変形が可能であることは明らかであろう。本発明の原理とその実際の適用を最も良く説明し、これにより当業者が特定の想定される利用に適するような各種改良によって本発明及び各種実施例を最も良く利用することを可能にするため、上述した実施例は選択及び説明された。本発明の範囲が添付された請求項とそれらに均等なものによって規定されるべきであること。
【００３８】
添付した請求項の解釈において、ａ）“有する”という用語は、与えられた請求項に列記された以外の要素又は処理の存在を排除するものでなく、ｂ）要素に先行する“ある”という用語は、このような要素が複数存在することを排除するものでなく、ｃ）請求項の参照符号はそれらの範囲を限定するものでなく、ｄ）複数の“手段”は同一のアイテム、ハードウェア又はソフトウェアにより実現される構成又は機能によって表され、ｅ）開示された各要素はハードウェア部分（個別の電子回路など）、ソフトウェア部分（コンピュータプログラミングなど）又はこれらの何れかの組み合わせから構成可能である、ことが理解されるべきである。
【図１】
0005798484.tif 000002
【図２】
0005798484.tif 000003
【図３】
0005798484.tif 000004